(57)【要約】【課題】イベント会場における受付作業を短時間に且つスムーズに行うことができる専用マネー取引システムおよび管理サーバを提供する。【解決手段】電子マネー媒体２は、イベントを特定するためのイベントＩＤと、電子マネー媒体２を用いる参加者を特定するための参加者ＩＤと、を記憶する媒体側記憶部３６を備え、管理サーバ４は、イベントＩＤ且つ参加者ＩＤ毎に、参加者名と、イベントで参加者が出金する出金額と、を対応付けて記憶するサーバ側記憶部２７を備え、リーダ・ライタ装置３は、電子マネー媒体２を読み取る読み取り部１１と、読み取り部１１の読み取り時に、電子マネー取引を行う取引部５１と、を備え、取引部５１は、サーバ側記憶部２７から、読み取り部１１により読み取ったイベントＩＤおよび参加者ＩＤに対応付けられた出金額を読み出して、電子マネー取引を行う。【選択図】図５
2010026625.tif 000002
【特許請求の範囲】
【請求項１】
イベントの参加者が所有する電子マネー媒体と、
前記電子マネー媒体を読み取るリーダ・ライタ装置と、
前記リーダ・ライタ装置と接続され、イベントを管理する管理サーバと、から成る専用マネー取引システムであって、
前記電子マネー媒体は、
前記イベントを特定するためのイベントＩＤと、前記電子マネー媒体を用いる参加者を特定するための参加者ＩＤと、を記憶する媒体側記憶部を備え、
前記管理サーバは、
前記イベントＩＤ且つ前記参加者ＩＤ毎に、参加者名と、前記イベントで前記参加者が出金する出金額と、を対応付けて記憶するサーバ側記憶部を備え、
前記リーダ・ライタ装置は、
前記電子マネー媒体を読み取る読み取り部と、
前記読み取り部の読み取り時に、電子マネー取引を行う取引部と、を備え、
前記取引部は、前記サーバ側記憶部から、前記読み取り部により読み取った前記イベントＩＤおよび前記参加者ＩＤに対応付けられた出金額を読み出して、電子マネー取引を行うことを特徴とする専用マネー取引システム。
【請求項２】
前記リーダ・ライタ装置は、
前記取引部による取引結果を前記管理サーバに送信する取引結果送信部をさらに備え、
前記サーバ側記憶部は、前記イベントＩＤ且つ前記参加者ＩＤ毎に、前記取引結果を対応付けて記憶することを特徴とする請求項１に記載の専用マネー取引システム。
【請求項３】
システム構成要素として、前記管理サーバと接続される表示装置をさらに有し、
前記表示装置は、前記サーバ側記憶部に記憶された前記取引結果に基づいて、取引した参加者の参加者名一覧を表示することを特徴とする請求項２に記載の専用マネー取引システム。
【請求項４】
前記サーバ側記憶部は、前記イベントＩＤ且つ前記参加者ＩＤ毎に、前記参加者に入金する入金額を対応付けて記憶しており、
前記取引部は、前記読み取り部により読み取った前記電子マネー媒体に対し、前記出金額に基づく電子マネー取引に続いて、前記入金額に基づく電子マネー取引を行うことを特徴とする請求項１ないし３のいずれか１項に記載の専用マネー取引システム。
【請求項５】
システム構成要素として、前記管理サーバと接続され、前記電子マネー媒体の情報を読み出すリーダ部および入力部を備えたコンピュータをさらに有し、
前記媒体側記憶部は、前記イベントＩＤに対応して前記管理サーバにアクセスするためのＵＲＬを記憶しており、
前記コンピュータは、前記リーダ部により前記電子マネー媒体から前記イベントＩＤ、前記参加者ＩＤおよび前記ＵＲＬを読み取って前記管理サーバにアクセスし、前記入力部により前記出金額の入力を受け付けることを特徴とする請求項１ないし４のいずれか１項に記載の専用マネー取引システム。
【請求項６】
システム構成要素として、前記管理サーバと接続され、前記電子マネー媒体の情報を読み出すリーダ部および表示部を備えたコンピュータをさらに有し、
前記媒体側記憶部は、前記イベントＩＤに対応して前記管理サーバにアクセスするためのＵＲＬを記憶しており、
前記コンピュータは、前記リーダ部により前記電子マネー媒体から前記イベントＩＤ、前記参加者ＩＤおよび前記ＵＲＬを読み取って前記管理サーバにアクセスし、予め定められた出金額を表示することを特徴とする請求項１ないし４のいずれか１項に記載の専用マネー取引システム。
【請求項７】
請求項１ないし６のいずれか１項に記載の専用マネー取引システムに適用される前記管理サーバ。
【発明の詳細な説明】
【技術分野】
【０００１】
本発明は、イベント等における参加者の金銭の支払いに関する情報を管理することができる専用マネー取引システムおよび管理サーバに関するものである。
【背景技術】
【０００２】
従来、冠婚葬祭など行事において、参加者の情報を電子的に管理するためのシステムが知られている。このシステムは、会場の受付に設置される端末装置とセンター側（葬儀社側）に設置されるサーバとから構成されている。この端末装置にはスキャナが接続されており、参列者の氏名および住所が記載された芳名帳カードを当該スキャナで読み取り、参列者情報の電子データを作成・管理する。また、この電子データをサーバに送信することで、センター側で参加者の情報を一括管理する（例えば、特許文献１参照）。
【特許文献１】特開２００４−２５８４８号公報
【発明の開示】
【発明が解決しようとする課題】
【０００３】
ところで、上記のシステムでは、冠婚葬祭等の受付において、参加者が芳名帳カードに氏名・住所を記載する必要がある。しかしながら、こうした受付で住所・氏名等を芳名帳に記入し、香典や祝儀を主催者に手渡すという一連の作業は、参加者にとって手間がかかるものであり、また、多数の参加者がいる場合には、膨大な時間を要するという問題がある。また、香典や祝儀は、一般的に現金により授受されるため、盗難・紛失などの問題を招くことがある。
【０００４】
本発明は、上記の問題点に鑑みたものであり、イベント会場における受付作業を短時間に且つスムーズに行うことができる専用マネー取引システムおよび管理サーバを提供することを目的とする。
【課題を解決するための手段】
【０００５】
本発明の専用マネー取引システムは、イベントの参加者が所有する電子マネー媒体と、電子マネー媒体を読み取るリーダ・ライタ装置と、リーダ・ライタ装置と接続され、イベントを管理する管理サーバと、から成る専用マネー取引システムであって、電子マネー媒体は、イベントを特定するためのイベントＩＤと、電子マネー媒体を用いる参加者を特定するための参加者ＩＤと、を記憶する媒体側記憶部を備え、管理サーバは、イベントＩＤ且つ参加者ＩＤ毎に、参加者名と、イベントで参加者が出金する出金額と、を対応付けて記憶するサーバ側記憶部を備え、リーダ・ライタ装置は、電子マネー媒体を読み取る読み取り部と、読み取り部の読み取り時に、電子マネー取引を行う取引部と、を備え、取引部は、サーバ側記憶部から、読み取り部により読み取ったイベントＩＤおよび参加者ＩＤに対応付けられた出金額を読み出して、電子マネー取引を行うことを特徴とする。
【０００６】
この構成によれば、リーダ・ライタ装置により、電子マネー媒体からイベントＩＤおよび参加者ＩＤを読み取ると共に、管理サーバから当該イベントＩＤおよび参加者ＩＤに対応付けられた出金額を読み出して、電子マネー取引を行う。これにより、イベント会場における金銭の授受の作業を短時間に且つスムーズに行うことができる。例えば、冠婚葬祭行事の受付において、香典や祝儀を主催者に手渡すといった手間のかかる作業を、簡単に且つスムーズに行うことができ、利便性が良い。
また、電子マネー媒体に、イベントＩＤと参加者ＩＤとが記憶されているため、使用できる環境を制限でき（つまり、特定のイベントでしか使用できない）、ひいては不正使用を防止できる。
また、出金額を設定できるため、万が一の場合の被害額を抑えることができる。
【０００７】
本発明の専用マネー取引システムにおいて、リーダ・ライタ装置は、取引部による取引結果を管理サーバに送信する取引結果送信部をさらに備え、サーバ側記憶部は、イベントＩＤ且つ参加者ＩＤ毎に、取引結果を対応付けて記憶することが好ましい。
【０００８】
この構成によれば、リーダ・ライタ装置は、電子マネーによる取引結果を管理サーバに送信し、管理サーバは、当該取引結果をイベントＩＤ且つ参加者ＩＤ毎に対応付けて管理する。つまり、各イベントの参加者毎の電子マネーの取引の有無および出金額等の情報を一元管理することができる。これにより、各イベントおよび各参加者に関する情報管理を容易に行うことができる。
【０００９】
本発明の専用マネー取引システムにおいて、システム構成要素として、管理サーバと接続される表示装置をさらに有し、表示装置は、サーバ側記憶部に記憶された取引結果に基づいて、取引した参加者の参加者名一覧を表示することが好ましい。
【００１０】
この構成によれば、取引結果に基づいて、取引した参加者一覧を表示することができるため、参加者に関する情報の管理が容易になる。
また、芳名帳（ゲストブック）の代用とすることができるため、例えば、従来のように、冠婚葬祭行事の受付において、住所や氏名等を芳名帳に記入する作業が不要となり、短時間且つスムーズに受付作業を行うことができ、利便性が良い。
【００１１】
本発明の専用マネー取引システムにおいて、サーバ側記憶部は、イベントＩＤ且つ参加者ＩＤ毎に、参加者に入金する入金額を対応付けて記憶しており、取引部は、読み取り部により読み取った電子マネー媒体に対し、出金額に基づく電子マネー取引に続いて、入金額に基づく電子マネー取引を行うことが好ましい。
【００１２】
この構成によれば、管理サーバは、イベントＩＤ且つ参加者ＩＤ毎に、参加者に入金する入金額を対応付けて記憶し、リーダ・ライタ装置は、電子マネー媒体に対し、上記入金額に基づく電子マネー取引を行う。つまり、電子マネー媒体に対して出金処理のみならず、入金処理も行うことができる。例えば、冠婚葬祭行事において、会場までの交通費や返礼の金品として、電子マネー媒体に所定の金額を入金することで、従来のように、各参加者に対して、交通費や返礼品を送付する等の返礼の手間を省くことができる。
【００１３】
本発明の専用マネー取引システムにおいて、システム構成要素として、管理サーバと接続され、電子マネー媒体の情報を読み出すリーダ部および入力部を備えたコンピュータをさらに有し、媒体側記憶部は、イベントＩＤに対応して管理サーバにアクセスするためのＵＲＬを記憶しており、コンピュータは、リーダ部により電子マネー媒体からイベントＩＤ、参加者ＩＤおよびＵＲＬを読み取って管理サーバにアクセスし、入力部により出金額の入力を受け付けることが好ましい。
【００１４】
また、本発明の専用マネー取引システムにおいて、システム構成要素として、管理サーバと接続され、電子マネー媒体の情報を読み出すリーダ部および表示部を備えたコンピュータをさらに有し、媒体側記憶部は、イベントＩＤに対応して管理サーバにアクセスするためのＵＲＬを記憶しており、コンピュータは、リーダ部により電子マネー媒体からイベントＩＤ、参加者ＩＤおよびＵＲＬを読み取って管理サーバにアクセスし、予め定められた出金額を表示することが好ましい。
【００１５】
これらの構成によれば、コンピュータは、電子マネー媒体から読み取ったイベントＩＤ、参加者ＩＤおよびＵＲＬにより、管理サーバにアクセスする。そして、このイベントＩＤに対応するイベントに関する出金額を入力する。これにより、電子マネー媒体を所有するユーザは、このコンピュータを用いて、所望のイベントにおける出金額を自由に設定（入力）することができ、利便性が良い。また、予め出金額が定められていれば表示された金額を確認するだけでよく、入力する手間を省くことができる。
【００１６】
本発明の管理サーバは、上記に記載の専用マネー取引システムに適用されることを特徴とする。
【００１７】
これを用いることにより、専用マネー取引システムに用いる情報（イベントＩＤ、参加者ＩＤおよび出金額等）を管理することができる管理サーバを提供することができる。
【発明を実施するための最良の形態】
【００１８】
以下、添付の図面に基づいて、本発明の一実施形態に係る専用マネー取引システムについて説明する。本発明の専用マネー取引システムは、イベント会場における受付作業を短時間に且つスムーズに行うことができるシステムである。なお、本実施形態では、冠婚葬祭行事、特に結婚披露宴などのイベントに当該専用マネー取引システムを適用した例を挙げて説明する。
【００１９】
図１に示すように、本発明の専用マネー取引システム１は、披露宴参加者（イベント参加者。以下、単に「参加者」と言う。）が所持する電子マネー媒体２と電子マネー媒体２を読み取るリーダ・ライタ装置３と、披露宴等のイベントに関する情報を管理するイベント管理サーバ４（管理サーバ）と、イベント管理サーバ４にアクセスする１以上のクライアント端末５と、から構成され、イベント管理サーバ４と、リーダ・ライタ装置３およびクライアント端末５は、ネットワークＮＴ（インターネット）を介して接続されている。
【００２０】
イベント管理サーバ４は、第三者機関（例えば、式場運営会社等）が運営・管理するイベント登録サイト（所謂ウェブサイト）であり、披露宴等のイベントに関する案内情報や当該披露宴の参加者に関する個人情報を管理するものである。イベント管理サーバ４は、披露宴主催者（以下、単に「主催者」と言う。）により披露宴の登録が行われると、当該披露宴を特定するためのイベントＩＤを発行すると共に、当該披露宴を告知するためのイベントページを作成して提供する。また、当該披露宴の参加者を特定するための参加者ＩＤを発行する。主催者および参加者は、このイベントＩＤおよび参加者ＩＤを用いて当該イベントページにアクセスする。
【００２１】
電子マネー媒体２は、電子マネーの取引が可能なカード型の媒体であり、主催者が各参加者に対して発行するものである（例えば、披露宴の案内状等と共に、事前に各参加者に対して送付する）。この電子マネー媒体２には、予め主催者側により、上述のイベントＩＤおよび参加者ＩＤ（以下、これらを「イベント管理情報」と称す。）が割り当てられており、これらにより、当該披露宴で電子マネー媒体２を用いる参加者を特定することができる。また、電子マネー媒体２には、上記イベントページにアクセスするためのＵＲＬ（Uniform Resource Locator）が記憶されている。参加者は、この電子マネー媒体２を用いて、上記イベントページへアクセスしたり、あるいは、披露宴の受付作業（記帳やご祝儀の受渡し）を行うことができる。
【００２２】
クライアント端末５は、イベント管理サーバ４にアクセスするための端末である。クライアント端末５には、電子マネー媒体２を読み取るリーダ・ライタ９（リーダ部）が接続されており、これにより、参加者が所持する電子マネー媒体２を読み取る。そして、電子マネー媒体２から読み取ったＵＲＬおよびイベント管理情報に基づいて、イベント管理サーバ４上の該当するイベントページにアクセスする。参加者は、事前に当該イベントページで、自身の個人情報（住所、氏名、電話番号等）、出欠情報、ご祝儀額情報（ご祝儀の金額、出金額）およびお祝いのメッセージ等を登録する。このクライアント端末５を用いることで、電子マネー媒体２を所有する参加者は、披露宴におけるご祝儀金額等を好きな時に自由に設定（入力）することができ、利便性が良い。
【００２３】
なお、本発明の請求項におけるコンピュータとは、上記のクライアント端末５およびリーダ・ライタ９から構成されるものである。また、本実施形態では、クライアント端末５として、パーソナルコンピュータ（ＰＣ）を例に挙げているが、例えば、リーダ・ライタ機能を備えたキオクス端末またはＰＯＳ端末等でも良い。また、電子マネー媒体２を読み取るリーダ・ライタ９は、クライアント端末５と別体に構成されていても良いし、一体に構成されていても良い。
【００２４】
リーダ・ライタ装置３は、披露宴会場（イベント会場）内に設置され、電子マネー媒体２の読み取りや電子マネー取引を行うものであり、リーダ・ライタ１１（読み取り部）と、会場内サーバ１２とにより構成されている。リーダ・ライタ１１は、披露宴会場内の所定の場所（例えば、受付）に２台設置され、各リーダ・ライタ１１は、会場内サーバ１２と接続されている。そして、電子マネー媒体２と非接触通信を行うことで、当該電子マネー媒体２との間で、イベント管理情報および電子マネーデータの読み取りや、電子マネーデータの書き込みを行う。なお、本実施形態では、リーダ・ライタ１１を２台としているが、あくまでも一例であり、これに限るものではない。例えば、新郎側会社用、新郎側友人用、新婦側会社用、新婦側友人用等、参加者の属性別、あるいは用途別にリーダ・ライタ１１を設けるようにしても良い。
【００２５】
会場内サーバ１２は、リーダ・ライタ１１により読み取ったイベント管理情報に基づいて、イベント管理サーバ４から当該イベント管理情報に対応する参加者情報を取得する。そして、この取得した参加者情報に基づいて、ご祝儀および返礼金の受渡しを電子マネーにより行う（電子マネー取引を行う）。
【００２６】
また、会場内サーバ１２は、表示部５６（表示装置）を備えている。表示部５６には、当該披露宴に参加した参加者に関する電子マネー取引の取引結果（ご祝儀および返礼金の受け渡し結果）や、イベントに参加した（電子マネーでご祝儀を受け取った）参加者の一覧、あるいはお祝いのメッセージなどを表示する。
【００２７】
例えば、参加者から電子マネー媒体２を用いてご祝儀を受け取った場合、図２（ａ）に示すように、表示部５６には、披露宴の情報６１として、当該披露宴のイベントＩＤおよび披露宴の名称が表示され、ご祝儀を贈った参加者の情報６２として、参加者ＩＤ、電子マネー決済情報および参加者の署名情報が表示される。また、参加者に対して返礼金を贈った場合、図２（ｂ）に示すように、表示部５６には、披露宴の情報６１と、返礼金の情報６３として、返礼対象となる参加者の参加者ＩＤ、および電子マネーのチャージ結果（成功／失敗）とが表示される。これら情報を表示することにより、主催者側は、当該参加者からのご祝儀の受け取り、または参加者への返礼金の渡しが成功したか否かを確認することができる。
【００２８】
また、図２（ｃ）に示すように、ご祝儀を受け取った参加者一覧を表示することで、ご祝儀を受け取った参加者の氏名、住所、頂いたご祝儀金額、および全てのご祝儀の合計金額等の情報を確認することができる。これにより、参加者に関する情報の管理が容易になると共に、芳名帳（ゲストブック）の代用とすることができるため、例えば、従来のように、披露宴の受付において、住所や氏名等を芳名帳に記入する作業が不要となり、短時間且つスムーズに受付作業を行うことができ、利便性が良い。なお、参加者一覧を表示する際、新郎側参加者と新婦側参加者とを個別に表示しても良いし、両方をまとめて表示するようにしても良い。
【００２９】
次に、図３の制御ブロック図を参照して、専用マネー取引システム１の各構成要素の制御構成について説明する。まず、イベント管理サーバ４は、ＣＰＵ２１（Central Processing Unit）、ＲＯＭ２２（Read Only Memory）、ＲＡＭ２３（Random Access Memory）、ＨＤＤ２４（Hard Disk Drive）、通信部２５の他、一般的なパーソナルコンピュータに搭載されるハードウェア構成を有している。ＣＰＵ２１は、ＲＯＭ２２に記憶された制御プログラムを起動時にＲＡＭ２３にコピーし、その制御プログラムに従ってＲＡＭ２３内等に保存されたデータの処理を行う。
【００３０】
ＨＤＤ２４は、イベントページ情報記憶領域２６およびイベント管理情報記憶領域２７（サーバ側記憶部）を有している。イベントページ情報記憶領域２６には、当該披露宴のイベントページを構成する情報が記憶されている。イベント管理情報記憶領域２７には、イベントＩＤ、参加者ＩＤ、参加者の個人情報（氏名、住所等）、出欠情報、ご祝儀額情報、返礼額情報（入金額）、お祝いメッセージおよび電子マネーによる取引結果が関連付けて記憶されている。これにより、当該披露宴および各参加者に関する情報を一元管理することができ、情報管理を容易に行うことができる。なお、返礼額情報は、主催者により設定される。
【００３１】
通信部２５は、会場内サーバ１２と通信を行うための通信手段として機能する。ＣＰＵ２１は、通信部２５を介して会場内サーバ１２からイベント管理情報を受信する。そして、ＣＰＵ２１は、当該イベントＩＤおよび参加者ＩＤに対応するご祝儀額情報や返礼金額情報を会場内サーバ１２に送信する。また、ＣＰＵ２１は、会場内サーバ１２から、当該披露宴においてご祝儀を受け取った参加者（電子マネー取引を行った参加者）の一覧を取得する要求（参加者一覧取得要求）を受信した場合、該当する全ての参加者の個人情報およびご祝儀情報を会場内サーバ１２に送信する。
【００３２】
また、通信部２５は、クライアント端末５と通信を行うための通信手段としても機能する。ＣＰＵ２１は、クライアント端末５からイベント管理情報を受信し、当該イベント管理情報に基づくイベントページへのアクセスを許可する。
【００３３】
電子マネー媒体２は、記憶部３２、通信部３３、アンテナ部３４、および各部を制御する制御部３１を有している。記憶部３２は、イベントデータ記憶領域３６（媒体側記憶部）および電子マネーデータ記憶領域３７を有している。イベントデータ記憶領域３６は、イベント管理情報（イベントＩＤおよび参加者ＩＤ）、イベントＩＤに対応するイベントページのＵＲＬが記憶されている。一方、電子マネーデータ記憶領域３７には、電子マネーデータが記憶されている。なお、イベント管理情報およびイベントページのＵＲＬは、予め主催者側で登録（設定）するものである。また、電子マネーデータは、参加者自身が、予め電子マネー入金装置（図示省略）などを利用してチャージする。
【００３４】
通信部３３およびアンテナ部３４は、リーダ・ライタ装置３（リーダ・ライタ１１および会場内サーバ１２）と通信を行う手段として機能する。制御部３１は、通信部３３およびアンテナ部３４を介してリーダ・ライタ１１との間で非接触通信を行い、イベント管理情報および電子マネーデータの送信を行う。また、制御部３１は、会場内サーバ１２から、電子マネー取引後の電子マネーデータ（電子マネー残高）を受信し、記憶部３２（電子マネーデータ記憶領域３７）の電子マネーデータを更新する。
【００３５】
また、通信部３３およびアンテナ部３４は、クライアント端末５と通信を行う通信手段としても機能する。制御部３１は、通信部３３およびアンテナ部３４を介してクライアント端末５のリーダ・ライタ９との間で非接触通信を行い、イベント管理情報およびイベントページのＵＲＬを送信する。
【００３６】
クライアント端末５は、ＣＰＵ４１、ＲＯＭ４２、ＲＡＭ４３、通信部４４、接続部４５、表示部４６、入力部４７の他、一般的なパーソナルコンピュータに搭載されるハードウェア構成を有している。ＣＰＵ４１は、ＲＯＭ４２に記憶された制御プログラムを起動時にＲＡＭ４３にコピーし、その制御プログラムに従ってＲＡＭ４３内等に保存されたデータの処理を行う。
【００３７】
接続部４５は、リーダ・ライタ９と接続するためのインターフェースである。ＣＰＵ４１は、接続されたリーダ・ライタ９を介して電子マネー媒体２と非接触通信を行い、イベント管理情報およびイベントページのＵＲＬを取得する（読み取る）。
【００３８】
通信部４４は、イベント管理サーバ４と通信を行う通信手段として機能する。ＣＰＵ４１は、通信部４４を介してリーダ・ライタ９により読み取ったイベントページのＵＲＬおよびイベント管理情報に基づいて、イベント管理サーバ４上の該当するイベントページにアクセスする。
【００３９】
表示部４６は、アクセスしたイベントページを表示する。入力部４７は、キーボードやマウスから成り、表示部４６に表示したイベントページ上で、参加者の個人情報（住所、氏名、電話番号等）、出欠情報、ご祝儀額情報およびお祝いのメッセージ等を入力する。
【００４０】
会場内サーバ１２は、ＣＰＵ５１（取引部）、ＲＯＭ５２、ＲＡＭ５３、接続部５４、通信部５５（取引結果送信部）、表示部５６の他、一般的なパーソナルコンピュータに搭載されるハードウェア構成を有している。ＣＰＵ５１は、ＲＯＭ５２に記憶された制御プログラムを起動時にＲＡＭ５３にコピーし、その制御プログラムに従ってＲＡＭ５３内等に保存されたデータの処理を行う。
【００４１】
接続部５４は、リーダ・ライタ１１と接続するためのインターフェースである。ＣＰＵ５１は、接続されたリーダ・ライタ１１を介して電子マネー媒体２との間で非接触通信を行い、イベント管理情報および電子マネーデータの送受信を行う。表示部５６は、上述したように、披露宴参加者のご祝儀および返礼金の受け渡し結果や、ご祝儀を受け取った参加者一覧などを表示する表示手段として機能する。
【００４２】
通信部５５は、イベント管理サーバ４と通信を行う通信手段として機能する。ＣＰＵ５１は、イベント管理サーバ４に対してイベント管理情報を送信し、当該イベント管理情報に対応する参加者の個人情報、ご祝儀額情報および返礼金額情報を受信する。また、ＣＰＵ５１は、受信したご祝儀額情報および返礼額情報に基づいて行われるご祝儀および返礼金に関する電子マネー取引の取引結果をイベント管理サーバ４に対して送信する。また、ＣＰＵ５１は、イベント管理サーバ４に参加者一覧取得要求を送信し、その結果を受信する。
【００４３】
ここで、図４のフローチャートを参照して、イベント管理サーバ４へ参加者の情報を登録する手順について説明する。なお、電子マネー媒体２には、イベント管理情報およびイベントページのＵＲＬが記憶されているものとする。まず、参加者により電子マネー媒体２がクライアント端末５のリーダ・ライタ９にかざされる（あるいは、タッチされる）と、リーダ・ライタ９は、電子マネー媒体２を読み取る（Ｓ０１）。この読み取りにより、クライアント端末５は、電子マネー媒体２に記憶されているイベント管理情報およびイベントページのＵＲＬを取得する（Ｓ０２）。
【００４４】
次に、クライアント端末５は、取得したＵＲＬに基づいて、イベント管理サーバ４上のイベントページにアクセスすると共に、イベント管理情報を用いて当該イベントページにログインする（Ｓ０３）。そして、クライアント端末５は、当該イベントページの内容を表示部４６に表示する（Ｓ０４）。この状態で、参加者は、入力部４７から個人情報やご祝儀額情報等を入力し、イベント管理サーバ４に参加者の情報を登録する（Ｓ０５）。
【００４５】
ここで、図５および図６のフローチャートを参照して、電子マネー媒体２を用いて披露宴における受付処理を行う手順について説明する。なお、イベント管理サーバ４には、当該披露宴の参加者に関する情報が登録されているものとする。また、電子マネー媒体２には、イベント管理情報が記憶されていると共に、参加者によって所定額の電子マネーデータがチャージされているものとする。
【００４６】
まず、参加者により電子マネー媒体２が会場内サーバ１２に接続されたリーダ・ライタ１１にかざされる（あるいは、タッチされる）と、リーダ・ライタ１１は、電子マネー媒体２を読み取る（Ｓ１１）。この読み取りにより、会場内サーバ１２は、電子マネー媒体２に記憶されているイベント管理情報および電子マネーデータを取得する（Ｓ１２）。次に、会場内サーバ１２は、読み取ったイベント管理情報をイベント管理サーバ４に送信する（Ｓ１３）。
【００４７】
イベント管理サーバ４は、イベント管理情報を受信し（Ｓ１４）、当該イベント管理情報に関連付けられたご祝儀額情報および返礼額情報を会場内サーバ１２に送信する（Ｓ１５）。
【００４８】
会場内サーバ１２は、ご祝儀額情報および返礼額情報を受信する（Ｓ１６）。そして、会場内サーバ１２は、受信したご祝儀額情報の金額が電子マネー媒体２から取得した電子マネーデータの金額より小さいか否かを判定する（Ｓ１７）。電子マネーデータの金額がご祝儀額情報の金額より小さい場合（電子マネーデータの金額＜ご祝儀額情報の金額の場合、Ｓ１８；Ｙｅｓ）、会場内サーバ１２は、表示部５６に電子マネー取引が失敗した旨（ご祝儀の受け取りが失敗した旨）のメッセージを表示すると共に（Ｓ１９）、参加者に対して電子マネー取引が失敗した旨を通知する（例えば、電子音による通知等、Ｓ２０）。また、会場内サーバ１２は、イベント管理サーバ４に対して当該取引結果を送信する（Ｓ２１）。イベント管理サーバ４は、取引結果を受信し（Ｓ２２）、この取引結果をイベント管理情報と関連付けて記憶する（Ｓ２３）。
【００４９】
一方、電子マネーデータの金額がご祝儀額情報の金額以上である場合（電子マネーデータの金額≧ご祝儀額情報の金額の場合、Ｓ１８；Ｎｏ）、会場内サーバ１２は、電子マネーデータからご祝儀額情報の金額を減額し（Ｓ２４）、このご祝儀金額を減額した電子マネーデータ（以下、「電子マネー残高」と称す。）を、電子マネー媒体２に送信する（Ｓ２５）。電子マネー媒体２は、当該電子マネー残高を受信し（Ｓ２６）、これを記憶部３２に記憶する（Ｓ２７）。そして、会場内サーバ１２は、表示部５６にご祝儀の受け取りが成功した旨（電子マネー取引が成功した旨）のメッセージを表示する（Ｓ２８）と共に、イベント管理サーバ４に対して当該取引結果（ご祝儀に関する電子マネー取引結果）を送信する（Ｓ２１）。イベント管理サーバ４は、取引結果を受信し（Ｓ２２）、この取引結果をイベント管理情報と関連付けて記憶する（Ｓ２３）。
【００５０】
続いて、会場内サーバ１２は、返礼額情報の有無を判定する（Ｓ２９）。返礼額情報がない場合（Ｓ３０；Ｎｏ）、会場内サーバ１２は、披露宴における受付処理を終了する。一方、返礼額情報がある場合（Ｓ３０；Ｙｅｓ）、会場内サーバ１２は、上述の電子マネー残高に返礼額情報の金額を加算し（Ｓ３１）、この返礼金額を加算した電子マネー残高を、リーダ・ライタ１１を介して電子マネー媒体２に送信する（Ｓ３２）。電子マネー媒体２は、当該電子マネー残高を受信し（Ｓ２６）、これを記憶部３２に記憶する（Ｓ２７）。また、会場内サーバ１２は、表示部５６に返礼金の送付が成功した旨（電子マネー取引が成功した旨）のメッセージを表示する（Ｓ３３）と共に、イベント管理サーバ４に対して当該取引結果（返礼金に関する電子マネー取引結果）を送信する（Ｓ２１）。イベント管理サーバ４は、取引結果を受信し（Ｓ２２）、この取引結果をイベント管理情報と関連付けて記憶する（Ｓ２３）。
【００５１】
以上のように、本実施形態によれば、披露宴会場の受付に設置されたリーダ・ライタ１１により、参加者が所持する電子マネー媒体２からイベントＩＤおよび参加者ＩＤを読み取る。そして、当該イベントＩＤおよび参加者ＩＤに対応付けられたご祝儀情報（出金額）をイベント管理サーバ４から読み出して、電子マネー取引を行う。これにより、披露宴会場の受付において、ご祝儀の受渡し（金銭の授受）を短時間に且つスムーズに行うことができ、利便性が良い。
【００５２】
また、披露宴の受付時に、電子マネー媒体２に対して返礼金の入金処理（チャージ）も行うことができるため、従来のように、各参加者に対して、交通費や返礼品を送付する等の返礼の手間を省くことができる。
【００５３】
また、電子マネー媒体２に、イベントＩＤと参加者ＩＤとが記憶されているため、使用できる環境を制限でき（つまり、特定のイベントでしか使用できない）、ひいては不正使用を防止できる。また、出金額（ご祝儀額等）を設定できるため、万が一の場合の被害額を抑えることができる。
【００５４】
なお、本実施形態における参加者ＩＤは、該当する披露宴において、電子マネー媒体２を一意に特定できるものであれば良く、例えば、電子マネー媒体２に予め割り当てられているカードＩＤでも良いし、イベント管理サーバ４を運営する会社が発行する独自のＩＤでも良い。
【００５５】
また、本実施形態の会場内サーバ１２に接続されている表示部５６を、ウェルカムボードとして利用することも可能である。例えば、事前に、参加者がイベントページ上でお祝いのコメント（メッセージ）を登録しておき、披露宴の受付で参加者が電子マネー媒体２を用いてご祝儀を渡した時に、当該参加者に関連付けられたお祝いコメントを表示部５６に表示することで、効果的な演出を行うことができる。
【００５６】
また、本実施形態では、主催者が参加者に対して、電子マネー媒体２を発行するようにしているが、これに限るものではなく、例えば、電子マネー媒体２は、参加者が所有する個人名義の電子マネーカードであっても良い。また、カード型の媒体のみならず、電子マネー取引が可能な携帯情報端末（携帯電話等）でも良い。
【００５７】
また、その他の実施形態として、出金額が予め決められている式典等においては、主催者が事前に参加費用を設定し、参加者金額入力の手間を省くことができる。式典参加者の肩書きや、受賞内容によって、参加費用が異なる場合、参加者が自己申告（○○会長です。秀作賞受賞です。など）せずとも、適切な参加費請求を行う事ができ、受付担当者も、異なる参加費用を、その場で確認し対応する手間が省け、取得した個人情報の属性と参加費用を表示体から確認し、正確かつ迅速に受付対応することができる。
【００５８】
また、上述した実施例によらず、専用マネー取引システム１の装置構成や処理の各工程、およびイベント管理サーバ４の機器構成や処理工程等について、本発明の要旨を逸脱しない範囲で、適宜変更も可能である。
【図面の簡単な説明】
【００５９】
【図１】本実施形態に係る専用マネー取引システムのシステム構成図である。
【図２】表示部に表示される内容の一例を説明する図である。
【図３】専用マネー取引システムの制御ブロック図である。
【図４】イベント管理サーバへ参加者の情報を登録する手順について説明するフローチャートである。
【図５】電子マネー媒体を用いて披露宴における受付処理を用いて行う手順について説明するフローチャートである。
【図６】電子マネー媒体を用いて披露宴における受付処理を用いて行う手順について説明するフローチャートである。
【符号の説明】
【００６０】
１…専用マネー取引システム  ２…電子マネー媒体  ３…リーダ・ライタ装置  ４…イベント管理サーバ  ５…クライアント端末  ９…リーダ・ライタ  １１…リーダ・ライタ  １２…会場内サーバ  ２７…イベント管理情報記憶領域  ３６…イベントデータ記憶領域  ４７…入力部  ５１…ＣＰＵ  ５５…通信部  ５６…表示部
【図１】
2010026625.tif 000003
【図２】
2010026625.tif 000004
【図３】
2010026625.tif 000005
【図４】
2010026625.tif 000006
【図５】
2010026625.tif 000007
【図６】
2010026625.tif 000008